(57)【要約】【課題】簡単な構成で、壁パネルを起立状態にできると共に、起立状態にある壁パネルの安定性を従来よりも向上可能で寿命の長いボックスパレットを提供する。【解決手段】底パネル１１と、この四隅部に立設された規制部材１２〜１５と、前後左右の壁パネル１６〜１９と、角パイプ２７、２８を両側に有する左右の壁パネル１８、１９に設けられた係止手段４４を有し、係止手段４４は、角パイプ２７、２８を左右方向に貫通する軸４８を介して回動自在に設けられ、ロック板部４７と、この両側に連結されたアーム部４６を有するコ字状金具４５と、規制部材１２、１５の上端で左右方向内側に傾斜面４１が、その外側には水平面４２が設けられたガイド部とを有し、コ字状金具４５は、その下面が規制部材１２、１５の傾斜面４１に沿って摺動しながら上方へ持ち上げられ、その先部が、規制部材１２、１５の上部に落下嵌合してその状態を維持する。【選択図】図１
2020114747.tif 000002
【特許請求の範囲】
【請求項１】
矩形状の底パネルと、
前記底パネルの四隅部にそれぞれ立設された断面Ｌ字状の規制部材と、
前記規制部材の中間位置に、下部が回動可能に連結された断面四角形の角パイプを両側に有する左右の壁パネルと、
前記底パネルの前後に下端が回動可能に連結され、起立状態では、支持手段を介して前記角パイプに保持され、前記底パネル上に折り重ね自在となった前後の壁パネルと、
前記左右の壁パネルの角パイプを起立状態で前記規制部材に保持する係止手段とを有するボックスパレットにおいて、
前記係止手段は、前記角パイプを左右方向に貫通する軸を介して回動自在に設けられ、ロック板部及び、該ロック板部の両側に連結されたアーム部を有し、ロック時に前記規制部材に当接する前記ロック板部の当接面と前記アーム部の中心線との角度（θ）が鋭角となっているコ字状金具と、前記規制部材の上端で左右方向内側に傾斜面が、その外側には水平面が設けられたガイド部とを有し、
前記左右の壁パネルを倒れた状態から起立させるに際しては、前記アーム部の下面が、前記規制部材の前記傾斜面に沿って摺動しながら、前記コ字状金具が上方へ持ち上げられ、前記左右の壁パネルが起立した際には、持ち上げられた前記コ字状金具の先部が、前記規制部材の上部に落下嵌合してその状態を維持することを特徴とするボックスパレット。
【請求項２】
請求項１記載のボックスパレットにおいて、前記角度（θ）が３０〜７０度の範囲にあることを特徴とするボックスパレット。
【請求項３】
請求項１又は２記載のボックスパレットにおいて、前記コ字状金具は前記左右の壁パネルそれぞれの両側に設けられた前記角パイプの一方側にのみあることを特徴とするボックスパレット。
【発明の詳細な説明】
【技術分野】
【０００１】
本発明は、例えば、フォークリフトやクレーン等の運搬手段で搬送可能な折り畳み自在に構成されたボックスパレットに関する。
【背景技術】
【０００２】
従来、例えば、建築や土木工事に用いる部品や材料を組立工場や工事現場に搬送する場合、あるいは、機械工場で製作した機械部品を他の組立工場に移送させる場合等では、箱状のボックスパレットが利用されている。
このボックスパレットとして、例えば、特許文献１には、金網状の底パネルと、この底パネルの前後左右の各辺部で起立する折り畳み自在に配置された４枚の壁パネルと、底パネルの四隅に起立して規制部材を有する脚と、壁パネルを起立状態にして保持する錠装置を有するものが開示されている。この特許文献１では、左右の壁パネルに一端部が回動可能に支持されたコ字状の係合部材（フック部材）を設け、左右の壁パネルを起立させた際に、係合部材の他端部を規制部材側の被係合部に係合させている。これにより、外的要因（例えば、強風や振動、作業場所が傾斜地）が作用する等して、起立した壁パネルが再び内側に倒れるのを防止し、壁パネルを確実に自立可能としている。
【０００３】
また、特許文献２には、前後の壁パネルの左右両側に回転自在なフック状の係止部材を設け、前後の壁パネルを起立させた際に、係止部材を、底パネルの４隅にそれぞれ起立している脚パネルの上端に着脱自在に係合させる技術が開示されている。
そして、特許文献３には、底パネルの各角部に設けられた上方突片部に、水平状軸心廻りに揺動自在なフック部材を設け、左右の壁パネルの支柱部に、フック部材の先端爪部が係止可能な掛かり部を設けて、先端爪部を支柱部の掛かり部に係止する技術が開示されている。
【先行技術文献】
【特許文献】
【０００４】
【特許文献１】実用新案登録第３１５０２５７号公報
【特許文献２】実用新案登録第３２０４８７１号公報
【特許文献３】実用新案登録第３２１００４０号公報
【発明の概要】
【発明が解決しようとする課題】
【０００５】
しかしながら、前記従来の技術には、未だ解決すべき以下のような問題があった。
特許文献１の技術は、コ字状となった係合部材の他端部のみが脚に引っ掛かる構成であるため、起立状態にある壁パネルの傾倒方向の揺れ（動き）を抑制することはできず、安定性が悪いという問題がある。また、係合部材が規制部材から外れ易いため、突出する被係合部が必要であり、摩耗して被係合部が効かなくなるという問題があった。
また、特許文献２の技術は、フック状の係止部材を脚パネルの上端に単に係合させる構成であるため、上記した特許文献１と同様、起立状態にある壁パネルの揺れを抑制できない。更に、係止部材の先側が外方へ突出するため、例えば、作業者が引っ掛かるおそれがあり、また、壁パネルを折り畳んだ際に嵩張るおそれもある。
特許文献３の技術は、上方突片部に設けたフック部材を壁パネルの支柱部の掛かり部に単に係止させる構成であるため、上記した特許文献２と同様、起立状態にある壁パネルの揺れを抑制できず、また、フック部材の基側が外方へ突出して作業者が引っ掛かるおそれもある。
【０００６】
本発明はかかる事情に鑑みてなされたもので、簡単な構成で、壁パネルを起立状態にできると共に、起立状態にある壁パネルの安定性を従来よりも向上可能で寿命の長いボックスパレットを提供することを目的とする。
【課題を解決するための手段】
【０００７】
前記目的に沿う本発明に係るボックスパレットは、矩形状の底パネルと、
前記底パネルの四隅部にそれぞれ立設された断面Ｌ字状の規制部材と、
前記規制部材の中間位置に、下部が回動可能に連結された断面四角形の角パイプを両側に有する左右の壁パネルと、
前記底パネルの前後に下端が回動可能に連結され、起立状態では、支持手段を介して前記角パイプに保持され、前記底パネル上に折り重ね自在となった前後の壁パネルと、
前記左右の壁パネルの角パイプを起立状態で前記規制部材に保持する係止手段とを有するボックスパレットにおいて、
前記係止手段は、前記角パイプを左右方向に貫通する軸を介して回動自在に設けられ、ロック板部及び、該ロック板部の両側に連結されたアーム部を有し、ロック時に前記規制部材に当接する前記ロック板部の当接面と前記アーム部の中心線との角度（θ）が鋭角となっているコ字状金具と、前記規制部材の上端で左右方向内側に傾斜面が、その外側には水平面が設けられたガイド部とを有し、
前記左右の壁パネルを倒れた状態から起立させるに際しては、前記アーム部の下面が、前記規制部材の前記傾斜面に沿って摺動しながら、前記コ字状金具が上方へ持ち上げられ、前記左右の壁パネルが起立した際には、持ち上げられた前記コ字状金具の先部が、前記規制部材の上部に落下嵌合してその状態を維持する。
【０００８】
本発明に係るボックスパレットにおいて、前記角度（θ）が３０〜７０度の範囲にあることが好ましい。
【０００９】
本発明に係るボックスパレットにおいて、前記コ字状金具は前記左右の壁パネルそれぞれの両側に設けられた前記角パイプの一方側にのみあることが好ましい。
【発明の効果】
【００１０】
本発明に係るボックスパレットは、係止手段が、角パイプを左右方向に貫通する軸を介して回動自在に設けられたコ字状金具と、規制部材の上端で左右方向内側に傾斜面が、その外側には水平面が設けられたガイド部とを有している。
これにより、左右の壁パネルを倒れた状態から起立させるに際しては、コ字状金具のアーム部の下面が、規制部材の傾斜面に沿って摺動するので、例えば、作業者がコ字状金具を手で操作することなく、左右の壁パネルの起立動作のみで、コ字状金具を上方へ持ち上げることができる。そして、左右の壁パネルが起立した際には、持ち上げられたコ字状金具の先部が、規制部材の上部に落下嵌合してその状態を維持するので、左右の壁パネルの傾倒方向（底パネルの幅方向）における揺れを従来よりも制限できる。
また、コ字状金具は、ロック板部及び、ロック板部の両側に連結されたアーム部を有し、ロック時に規制部材に当接するロック板部の当接面とアーム部の中心線との角度（θ）が鋭角となっているので、コ字状金具のロック板部が規制部材に沿って配置され、コ字状金具が従来のように外方へ突出することを防止でき、例えば、作業者が引っ掛かるおそれを従来よりも低減できる。
従って、簡単な構成で、壁パネルを起立状態にできると共に、起立状態にある壁パネルの安定性を従来よりも向上でき、寿命も長くできる。
【図面の簡単な説明】
【００１１】
【図１】（Ａ）、（Ｂ）はそれぞれ本発明の一実施の形態に係るボックスパレットの正面図、側面図である。
【図２】同ボックスパレットの平面図である。
【図３】（Ａ）〜（Ｃ）はそれぞれ同ボックスパレットの壁パネルに取付けられたコ字状金具の正面図、側面図、平面図である。
【図４】同ボックスパレットの左の壁パネルの起立過程を示す正面図である。
【図５】同左の壁パネルの角パイプの起立状態を示す側面図である。
【発明を実施するための形態】
【００１２】
続いて、添付した図面を参照しつつ、本発明を具体化した実施の形態につき説明し、本発明の理解に供する。
図１〜図５に示すように、本発明の一実施の形態に係るボックスパレット１０は、例えば、フォークリフトやクレーン等の運搬手段で搬送可能な折り畳み自在に構成されたものであり、矩形状（長方形状又は正方形状）の底パネル１１と、底パネル１１の四隅部にそれぞれ立設された規制部材１２〜１５と、底パネル１１の前後に下端が回動可能に連結された前後の壁パネル１６、１７と、規制部材１２〜１５に下部が回動可能に連結された左右の壁パネル１８、１９とを有している。以下、前後の壁パネル１６、１７の傾倒方向をボックスパレット１０（底パネル１１）の前後方向、左右の壁パネル１８、１９の傾倒方向をボックスパレット１０（底パネル１１）の左右方向（幅方向）として、詳しく説明する。
【００１３】
底パネル１１は、図１（Ａ）、（Ｂ）、図２に示すように、鋼製の枠材を矩形状に配置した方形フレーム２０と、この方形フレーム２０の上面に貼設されたワイヤーネット２１で構成されている。この枠材には、角筒状のパイプ（角パイプ）や断面Ｌ字状のアングル材等を使用できる。
前後の壁パネル１６、１７は、図１（Ａ）に示すように、その上縁を構成する鋼製の長尺の梁材２２と、この梁材２２から下垂配置された上側ワイヤーネット２３と、この上側ワイヤーネット２３の下端部に連結された下側ワイヤーネット２４を有している。この上側ワイヤーネット２３と下側ワイヤーネット２４は、コイル状の連結ワイヤ２５により、ボックスパレット１０の前後方向に折り曲げ自在に連結されている。
また、左右の壁パネル１８、１９は、図１（Ｂ）に示すように、その上縁を構成する鋼製の長尺の梁材２６、及び、この梁材２６の両側端部にそれぞれ溶着された断面四角形の角パイプ２７、２８で構成される門状のフレーム２９と、このフレーム２９内に貼設されたワイヤーネット３０とを有している。
【００１４】
図１（Ａ）に示すように、前後の壁パネル１６、１７の下側ワイヤーネット２４の下端部はそれぞれ、底パネル１１の前側端部及び後ろ側端部に設けられた（前側辺部及び後ろ側辺部に沿って設けられた）扉ヒンジ金具（係合金具）３１により、底パネル１１に取付けられている。
これにより、前側に配置される壁パネル１６は、底パネル１１の前側端部を基点として底パネル１１上に折り重ね自在（ボックスパレット１０の前後方向に傾倒可能）となって、起立状態では底パネル１１の前側辺部に沿って起立できる。また、後ろ側に配置される壁パネル１７は、底パネル１１の後ろ側端部を基点として底パネル１１上に折り重ね自在（ボックスパレット１０の前後方向に傾倒可能）となって、起立状態では底パネル１１の後ろ側辺部に沿って起立できる。
【００１５】
上側ワイヤーネット２３の両側上部位置と下側ワイヤーネット２４の両側上部位置にはそれぞれ、かんぬき錠（支持手段の一例）３２が設けられている。このかんぬき錠３２は、上側及び下側ワイヤーネット２３、２４に溶着された軸受け３３と、この軸受け３３に支持されたスライダ３４を有し、スライダ３４にはハンドル３５が溶着され、かんぬき錠３２に隣接した幅方向外方位置には案内プレート３６が配設されている。
スライダ３４は軸受け３３に遊嵌されて水平方向に進退可能に支持されると共に、案内プレート３６によって外方向への正確な進出が可能となって、スライダ３４の先部が、左右の壁パネル１８、１９の角パイプ２７、２８に形成された小孔（図示しない）に挿通可能になっている。これにより、前後の壁パネル１６、１７は、かんぬき錠３２を介して、角パイプ２７、２８に保持され、起立状態を維持できる。
【００１６】
図１（Ａ）、（Ｂ）、図４、図５に示すように、左側に配置される壁パネル１８は、底パネル１１の左右方向に傾倒するように、壁パネル１８の一方の角パイプ２７の下端部が規制部材１２の高さ方向中間位置に、他方の角パイプ２８の下端部が規制部材１４の高さ方向中間位置に、それぞれボルト（回動ピン）３７によって回動可能に支持されている（ボルト３７の軸心をボックスパレット１０の前後方向に合わせている）。また、右側に配置される壁パネル１９も、底パネル１１の幅方向に傾倒するように、壁パネル１９の両側の角パイプ２７、２８の下端部がそれぞれ、規制部材１３、１５の高さ方向中間位置に、ボルト３７によって回動可能に支持されている。なお、角パイプ２７、２８の上端部にはブラケット３８が溶着され、このブラケット３８にはボックスパレット１０の吊下げ用リング３９が取付けられている。
これにより、左右の壁パネル１８、１９はそれぞれ、底パネル１１上に折り重ねられた前後の壁パネル１６、１７上に、折り重ね自在（ボックスパレット１０の幅方向に傾倒可能）となって、起立状態では、底パネル１１の左右方向両側辺部に沿って起立できる。
【００１７】
規制部材１２〜１５は鋼製のものであり、図１（Ａ）、（Ｂ）、図２に示すように、底パネル１１の四隅部（角部位置）に立設状態で取付け固定されている。具体的には、規制部材１２〜１５は断面Ｌ字状となって、その高さ方向途中位置の内側面を、底パネル１１の方形フレーム２０の角部外側面に当接させた状態で取付け固定されている。なお、規制部材１２〜１５の下端部には土台４０が取付け固定され、例えば、ボックスパレット１０を床面上に配置することや、複数のボックスパレット１０を段積みすることが、可能になっている。
これにより、規制部材１２〜１５の内側面が、起立した左右の壁パネル１８、１９の両側端部の下側外表面に当接することで、また、前後の壁パネル１６、１７は規制部材１２〜１５により、外方への傾倒が規制されることで、各壁パネル１６〜１９が底パネル１１の外方へ倒れることを防止できる。なお、前後の壁パネル１６、１７については、底パネル１１の外方へ倒れる構成にすることもできる。
【００１８】
図１（Ａ）、図４に示すように、ボックスパレット１０の前側に配置される規制部材１２、１３の前側上端と、後ろ側に配置される規制部材１４、１５の後ろ側上端には、各規制部材１２〜１５の左右方向の中央部から内側端部にかけて下り勾配となった傾斜面（傾斜部）４１が形成されている。なお、規制部材１２〜１５の左右方向外側（傾斜面４１の外側）は、傾斜面４１に連接した水平面（平坦部）４２となっている。
この傾斜面４１と水平面４２でガイド部が構成されている。
また、図１（Ｂ）、図５に示すように、ボックスパレット１０の左側の前後に配置される規制部材１２、１４の左側上部と、右側の前後に配置される規制部材１３、１５の右側上部は、上記した水平面４２に連接し、水平面４２と同一高さの水平面（平坦部）４３となっている。
この規制部材１２〜１５の上部（水平面４２、４３を含む領域）には、強度補強のためリブ出し加工がなされている。
【００１９】
図１（Ａ）、（Ｂ）、図３〜図５に示すように、左側に配置される壁パネル１８の前側（一方側）の角パイプ２７には、角パイプ２７を起立状態で規制部材１２に保持する係止手段４４が、また、右側に配置される壁パネル１９の後ろ側（一方側）の角パイプ２８には、角パイプ２８を起立状態で規制部材１２に保持する係止手段４４が、それぞれ設けられている。この係止手段４４は、前記した規制部材１２のガイド部と、コ字状金具４５を有し、規制部材１２の上部にコ字状金具４５が嵌合することで、壁パネル１８、１９の起立状態を維持できる。
コ字状金具４５は、図３（Ａ）〜（Ｃ）に示すように、鋼製の断面コ字状のものであり、間隔を有して対向配置されたアーム部４６と、そのアーム部４６の先端部に連接するロック板部４７とを有している（即ち、ロック板部４７の両側に一対のアーム部４６が連結されている）。
【００２０】
左側に配置される壁パネル１８に設けられたコ字状金具４５は、ロック板部４７が角パイプ２７の前側に配置されるように、アーム部４６の基部が、角パイプ２７を左右方向に貫通するボルト（軸の一例）４８を介して、角パイプ２７に回動自在に設けられている。また、右側に配置される壁パネル１９に設けられたコ字状金具４５は、ロック板部４７が角パイプ２８の後ろ側に配置されるように、アーム部４６の基部が、角パイプ２８を左右方向に貫通するボルト４８を介して、角パイプ２８に回動自在に設けられている。
これにより、ボルト４８の軸心がボックスパレット１０の左右方向に合わせられるため、左右の壁パネル１８、１９を傾倒させるに際しても、コ字状金具４５に外的な力を加えない限りは、コ字状金具４５が角パイプ２７の正面又は角パイプ２８の背面から起き上がることを抑制、更には防止できる。
【００２１】
ここで、対向するアーム部４６の間隔（内幅）Ｄは、例えば、角パイプ２７、２８の幅よりも１〜１０ｍｍ程度広くなっている。これにより、コ字状金具４５の動作をスムーズにできると共に、角パイプ２７、２８からの突出を少なくでき、例えば、作業者が引っ掛かることを防止できる。
また、アーム部４６の先部は、図３（Ｂ）に示すように、Ｌ字状よりも開いた角度で屈曲して水平となっている（アーム部４６の先部が水平部となっている）。使用にあっては、図４に示すように、アーム部４６の下面が、規制部材１２の傾斜面４１に沿って摺動するため、上記したように水平とすることで、アーム部４６を規制部材１２、１５の傾斜面４１に載せ易くすることができる。
【００２２】
コ字状金具４５の先部は、壁パネル１８、１９の起立に際し、規制部材１２、１５の傾斜面４１によりスムーズに持ち上げられる必要があることから、傾斜面４１の水平位置に対する下りの傾斜角度θ１は、例えば、３０〜６０度（更には、４０度以上、５０度以下）程度にするのがよい。
コ字状金具４５は、図５に示すように、規制部材１２の上部にコ字状金具４５が嵌合するロック時に、規制部材１２に当接するロック板部４７の当接面（裏面）とアーム部４６の中心線との角度θ２が鋭角となっている（図３（Ｂ）参照）。
なお、ロック板部４７に対するアーム部４６の傾斜角度θ２は、アーム部４６の長さにもよるが、例えば、３０〜７０度程度である。
【００２３】
以上のように構成することで、例えば、図４、図５に示すように、左側に配置された壁パネル１８を倒れた状態から起立させるに際しては、アーム部４６の下面が、規制部材１２の傾斜面４１に沿って摺動しながら、コ字状金具４５が上方へ持ち上げられる。
そして、壁パネル１８が起立した際には、持ち上げられたコ字状金具４５の先部が、規制部材１２の前側上部に落下し嵌合してその状態を維持する（右側に配置された壁パネル１９も同様）。このとき、規制部材１２の水平面４２の幅は、角パイプ２７、２８の幅より狭いため（例えば、角パイプ２７、２８の幅の４０〜９０％程度）、コ字状金具４５の左側（一側）のアーム部４６の内面が、規制部材１２の外表面に当接し（あるいは僅少の隙間を有して配置され）、コ字状金具４５の右側（他側）のアーム部４６の下端が、傾斜面４１に当接するため、壁パネル１８の傾倒方向の揺れが制限されて立設状態が維持される。
【００２４】
続いて、本発明の一実施の形態に係るボックスパレット１０の使用方法について説明する。
ボックスパレット１０の不使用時は、底パネル１１上に、前後の壁パネル１６、１７が折り重ねられ（倒れ）、その上に、左右の壁パネル１８、１９が折り重ねられ（倒れ）ている。
使用にあっては、作業者が、底パネル１１上に折り重ねられた各壁パネル１６〜１９を順次起立させ、図１（Ａ）、（Ｂ）、図２に示す状態にする。以下、詳しく説明する。
【００２５】
まず、作業者は、図４に示すように、左側に配置される壁パネル１８を起立させる。
壁パネル１８が倒れた状態では、コ字状金具４５のロック板部４７の下端が、角パイプ２７の正面に当接し、ロック板部４７の上側が、角パイプ２７の正面とは僅少の隙間を有した状態になっている。
作業者が、この壁パネル１８を起立させるに際しては、コ字状金具４５の左側下端が規制部材１２の傾斜面４１に当接した後、アーム部４６の下面が、規制部材１２の傾斜面４１に沿って摺動しながら、コ字状金具４５が上方へ持ち上げられる。
【００２６】
そして、壁パネル１８が起立した状態になると、持ち上げられたコ字状金具４５の先部が、規制部材１２の前側上部に落下し嵌合してその状態を維持する。これにより、前記したように、壁パネル１６の傾倒方向の揺れが制限されて立設状態が維持される。
このとき、コ字状金具４５のロック板部４７は、図５に示すように、角パイプ２７の正面とは平行に配置される。即ち、ロック板部４７と角パイプ２７の正面との間に形成される隙間が、規制部材１２の厚みと同程度になっている。これは、前記したように、ロック板部４７をアーム部４６に対し傾斜させていることによる。これにより、コ字状金具４５の突出を小さくでき、例えば、作業者が引っ掛かることを防止できる。
【００２７】
上記した方法と同様の方法で、作業者は、右側に配置される壁パネル１９も起立させる。なお、左側に配置される壁パネル１８の上に右側に配置される壁パネル１９が折り重ねられている場合は、右側に配置される壁パネル１９の起立を先に行う。
次に、作業者は、前後の壁パネル１６、１７をそれぞれ起立させる。
前後の壁パネル１６、１７をそれぞれ起立させた後、各かんぬき錠３２を使用して、左右の壁パネル１８、１９にそれぞれ係止させ、その起立状態を維持する。
これにより、ボックスパレット１０は、図１（Ａ）、（Ｂ）、図２に示すように、使用可能な状態となる。
【００２８】
なお、ボックスパレット１０の使用後、作業者は、前後左右の各壁パネル１６〜１９を、底パネル１１の上に、以下の方法で折り畳む。
まず、作業者は、各かんぬき錠３２を使用して、前後の壁パネル１６、１７と、左右の壁パネル１８、１９との係止状態を解除し、底パネル１１の上に前後の壁パネル１６、１７を倒す。
次に、作業者は、図５の二点鎖線で示すコ字状金具４５のように、左側に配置される壁パネル１８に設けられたコ字状金具４５のロック板部４７を上方へ持ち上げ（コ字状金具４５をボルト４８を中心として傾動させ）、規制部材１２の上部からコ字状金具４５を取り外す。そして、壁パネル１８を、底パネル１１上に折り重ねられた前後の壁パネル１６、１７の上に倒す。この方法と同様の方法で、作業者は、右側に配置される壁パネル１９も底パネル１１の上に倒す。
これにより、ボックスパレット１０は折り畳まれた状態となる。
【００２９】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のボックスパレットを構成する場合も本発明の権利範囲に含まれる。
前記実施の形態においては、コ字状金具を、左右の壁パネルの一方側の角パイプのみに設けた場合について説明したが、壁パネルの両側の角パイプにそれぞれ設けることもできる。このコ字状金具の角パイプへの取付けには、ボルトの代わりに回動ピンを用いることもできる。
【符号の説明】
【００３０】
１０：ボックスパレット、１１：底パネル、１２〜１５：規制部材、１６〜１９：壁パネル、２０：方形フレーム、２１：ワイヤーネット、２２：梁材、２３：上側ワイヤーネット、２４：下側ワイヤーネット、２５：連結ワイヤ、２６：梁材、２７、２８：角パイプ、２９：フレーム、３０：ワイヤーネット、３１：扉ヒンジ金具、３２：かんぬき錠（支持手段）、３３：軸受け、３４：スライダ、３５：ハンドル、３６：案内プレート、３７：ボルト、３８：ブラケット、３９：吊下げ用リング、４０：土台、４１：傾斜面、４２、４３：水平面、４４：係止手段、４５：コ字状金具、４６：アーム部、４７：ロック板部、４８：ボルト（軸）
【図１】
2020114747.tif 000003
【図２】
2020114747.tif 000004
【図３】
2020114747.tif 000005
【図４】
2020114747.tif 000006
【図５】
2020114747.tif 000007